(57)【要約】【課題】簡素な回路構成で２種類のＬＥＤのデューティ比を制御して発光部から出射される光の調色を行うことのできるＬＥＤ光源装置を提供すること。【解決手段】ＬＥＤ光源装置１では、調色指令Ｓａが発せられると、調色用ＰＷＭ信号生成部３は、第１ＬＥＤ２１が点灯および消灯を行うデューティ比を規定する調色用第１ＰＷＭ信号ＳPWM1を生成し、反転回路５は、調色用第１ＰＷＭ信号ＳPWM1を反転させて第１ＬＥＤ２１と逆相で第２ＬＥＤ２２に点灯および消灯を行わせる調色用第２ＰＷＭ信号ＳPWM2を生成する。このため、調色用第１スイッチング部４は、調色用第１ＰＷＭ信号ＳPWM1に基づいて第１ＬＥＤ２１への駆動電流を給断し、調色用第２スイッチング部６は、調色用第２ＰＷＭ信号ＳPWM2に基づいて第２ＬＥＤ２２への駆動電流を給断する。【選択図】図１
2014078405.tif 000002
【特許請求の範囲】
【請求項１】
第１ＬＥＤ、および該第１ＬＥＤと異なる色の光を出射する第２ＬＥＤを備えた発光部と、前記第１ＬＥＤおよび前記第２ＬＥＤを駆動する駆動回路と、を有するＬＥＤ光源装置であって、
前記駆動回路は、前記発光部から出射される光の色を指定する調色指令に基づいて前記第１ＬＥＤが点灯および消灯を行うデューティ比を規定する調色用第１ＰＷＭ信号を生成する調色用ＰＷＭ信号生成部と、前記調色用第１ＰＷＭ信号に基づいて前記第１ＬＥＤへの駆動電流を給断する調色用第１スイッチング部と、前記調色用第１ＰＷＭ信号を反転させて前記第１ＬＥＤと逆相で前記第２ＬＥＤに点灯および消灯を行わせる調色用第２ＰＷＭ信号を生成する反転回路と、前記調色用第２ＰＷＭ信号に基づいて前記第２ＬＥＤへの駆動電流を給断する調色用第２スイッチング部と、を有することを特徴とするＬＥＤ光源装置。
【請求項２】
前記駆動回路は、前記発光部から出射される光の量を指定する調光指令に基づいて前記第１ＬＥＤおよび前記第２ＬＥＤに供給される電流値を規定する調光用ＰＷＭ信号を生成する調光用ＰＷＭ信号生成部と、前記調光用ＰＷＭ信号に基づいて前記第１ＬＥＤおよび前記第２ＬＥＤへの駆動電流を給断する調光用スイッチング部と、を有することを特徴とする請求項１に記載のＬＥＤ光源装置。
【発明の詳細な説明】
【技術分野】
【０００１】
本発明は、異なる色の光を出射するＬＥＤを備えたＬＥＤ光源装置に関するものである。
【背景技術】
【０００２】
近年、節電等を目的にＬＥＤ照明が採用されており、かかる照明装置等に用いられるＬＥＤ光源装置は、ＬＥＤ（発光ダイオード）を備えた発光部と、ＬＥＤを駆動する駆動回路とを有している。また、ＬＥＤとして、異なる色の光を出射する２種類あるいは３種類のＬＥＤを用い、かかる種類のＬＥＤをＰＷＭ（Pulse Width Modulation）制御することにより、発光部から出射される光の色（色温度）を調整可能とする技術も提案されている（特許文献１参照）。
【先行技術文献】
【特許文献】
【０００３】
【特許文献１】特開２０１１−２５８５１７号公報
【発明の概要】
【発明が解決しようとする課題】
【０００４】
しかしながら、特許文献１に記載のＬＥＤ光源装置では、異なる色の光を出射する複数種類のＬＥＤが点灯する期間の比を制御する制御回路の詳細構成が例示されておらず、段落［００３７］の「ＦＥＴ又はＦＥＴが常時にオンになるように制御してもよい」との記載や、段落［００５５］の「ＬＥＤアレイを３個並列接続し、また、各ＬＥＤアレイにスイッチ素子を１つずつ直列接続している」との記載からすれば、制御回路では、各ＬＥＤアレイのデューティ比を規定する制御信号を各々、個別に生成していると考えることができ、かかる構成では、回路の構成が複雑化してしまう。
【０００５】
以上の問題点に鑑みて、本発明の課題は、簡素な回路構成で２種類のＬＥＤのデューティ比を制御して発光部から出射される光の調色を行うことのできるＬＥＤ光源装置を提供することにある。
【課題を解決するための手段】
【０００６】
上記課題を解決するために、本発明は、第１ＬＥＤ、および該第１ＬＥＤと異なる色の光を出射する第２ＬＥＤを備えた発光部と、前記第１ＬＥＤおよび前記第２ＬＥＤを駆動する駆動回路と、を有するＬＥＤ光源装置であって、前記駆動回路は、前記発光部から出射される光の色を指定する調色指令に基づいて前記第１ＬＥＤが点灯および消灯を行うデューティ比を規定する調色用第１ＰＷＭ信号を生成する調色用ＰＷＭ信号生成部と、前記調色用第１ＰＷＭ信号に基づいて前記第１ＬＥＤへの駆動電流を給断する調色用第１スイッチング部と、前記調色用第１ＰＷＭ信号を反転させて前記第１ＬＥＤと逆相で前記第２ＬＥＤに点灯および消灯を行わせる調色用第２ＰＷＭ信号を生成する反転回路と、前記調色用第２ＰＷＭ信号に基づいて前記第２ＬＥＤへの駆動電流を給断する調色用第２スイッチング部と、を有することを特徴とする。
【０００７】
本発明では、調色指令が発せられると、調色用ＰＷＭ信号生成部は、第１ＬＥＤが点灯および消灯を行うデューティ比を規定する調色用第１ＰＷＭ信号を生成し、反転回路は、調色用第１ＰＷＭ信号を反転させて第１ＬＥＤと逆相で第２ＬＥＤに点灯および消灯を行わせる調色用第２ＰＷＭ信号を生成する。このため、調色用第１スイッチング部が調色用第１ＰＷＭ信号に基づいて第１ＬＥＤへの駆動電流を給断し、調色用第２スイッチング部が調色用第２ＰＷＭ信号に基づいて第２ＬＥＤへの駆動電流を給断するので、第１ＬＥＤに供給される駆動電流と第２ＬＥＤに供給される駆動電流との比によって、発光部から出射される光の色が規定される。ここで、調色用第２ＰＷＭ信号の生成は、反転回路での調色用第１ＰＷＭ信号の反転により行われる。従って、簡素な回路構成で２種類のＬＥＤのデューティ比を制御して発光部から出射される光の調色を行うことができる。
【０００８】
本発明において、前記駆動回路は、前記発光部から出射される光の量を指定する調光指令に基づいて前記第１ＬＥＤおよび前記第２ＬＥＤに供給される電流値を規定する調光用ＰＷＭ信号を生成する調光用ＰＷＭ信号生成部と、前記調光用ＰＷＭ信号に基づいて前記第１ＬＥＤおよび前記第２ＬＥＤへの駆動電流を給断する調光用スイッチング部と、を有することが好ましい。かかる構成によれば、簡素な回路構成で、発光部から出射される光の量を制御することができる。
【発明の効果】
【０００９】
本発明では、調色指令が発せられると、調色用ＰＷＭ信号生成部は、第１ＬＥＤが点灯および消灯を行うデューティ比を規定する調色用第１ＰＷＭ信号を生成し、反転回路は、調色用第１ＰＷＭ信号を反転させて第１ＬＥＤと逆相で第２ＬＥＤに点灯および消灯を行わせる調色用第２ＰＷＭ信号を生成する。このため、調色用第１スイッチング部が調色用第１ＰＷＭ信号に基づいて第１ＬＥＤへの駆動電流を給断し、調色用第２スイッチング部が調色用第２ＰＷＭ信号に基づいて第２ＬＥＤへの駆動電流を給断するので、第１ＬＥＤに供給される駆動電流と第２ＬＥＤに供給される駆動電流との比によって、発光部から出射される光の色が規定される。ここで、調色用第２ＰＷＭ信号の生成は、反転回路での調色用第１ＰＷＭ信号の反転により行われる。従って、簡素な回路構成で２種類のＬＥＤのデューティ比を制御して発光部から出射される光の調色を行うことができる。すなわち、本発明では、２種類のＬＥＤ（第１ＬＥＤ２１および第２ＬＥＤ２２）を一組として制御するので、第１ＬＥＤを制御するための調色用第１ＰＷＭ信号を反転させて得た調色用第２ＰＷＭ信号によって第２ＬＥＤを制御することができ、回路構成を簡素化することができる。
【図面の簡単な説明】
【００１０】
【図１】本発明を適用したＬＥＤ光源装置の構成を示すブロック図である。
【図２】本発明を適用したＬＥＤ光源装置で用いられる動作を示す説明図である。
【図３】本発明を適用したＬＥＤ光源装置の駆動回路の具体的構成例を示す説明図である。
【発明を実施するための形態】
【００１１】
図面を参照して本発明の実施の形態を説明する。なお、以下の説明において、各信号のデューティ比は、１周期においてＨ（ハイ）レベルにある割合を意味する。
【００１２】
（ＬＥＤ光源装置の構成）
図１は、本発明を適用したＬＥＤ光源装置の構成を示すブロック図である。図２は、本発明を適用したＬＥＤ光源装置で用いられる動作を示す説明図であり、図２（ａ）、（ｂ）は、ＬＥＤ光源装置での調光動作を示す説明図、およびＬＥＤ光源装置での調色動作を示す説明図である。図２（ａ）において、図２（ａ−１）には、光量を低下させるとき調光用ＰＷＭ信号ＳPWM0の波形と、第１ＬＥＤ２１および第２ＬＥＤ２２のＯＮ−ＯＦＦを示してあり、図２（ａ−２）には、光量を増大させるときの調光用ＰＷＭ信号ＳPWM0の波形と、第１ＬＥＤ２１および第２ＬＥＤ２２のＯＮ−ＯＦＦを示してある。また、図２（ｂ）において、図２（ｂ−１）には、電球色メインの光を出射する際の調色用第１ＰＷＭ信号ＳPWM1の波形と、第１ＬＥＤ２１のＯＮ−ＯＦＦと、調色用第２ＰＷＭ信号ＳPWM2の波形と、第２ＬＥＤ２２のＯＮ−ＯＦＦとを示してあり、図２（ｂ−２）には、昼白色メインの光を出射する際の調色用第１ＰＷＭ信号ＳPWM1の波形と、第１ＬＥＤ２１のＯＮ−ＯＦＦと、調色用第２ＰＷＭ信号ＳPWM2の波形と、第２ＬＥＤ２２のＯＮ−ＯＦＦとを示してある。
【００１３】
図１において、本形態のＬＥＤ光源装置１は、異なる色の光を出射する２種類のＬＥＤ（第１ＬＥＤ２１および第２ＬＥＤ２２）を備えた発光部２と、第１ＬＥＤ２１および第２ＬＥＤ２２を駆動する駆動回路９とを有している。駆動回路９は、第１ＬＥＤ２１および第２ＬＥＤ２２を駆動する駆動電圧を生成する電源部１０を有しており、本形態において、電源部１０は、２４ｖの直流電圧を生成する。第１ＬＥＤ２１は、例えば、色温度が５０００Ｋ（ケルビン）の昼白色の光を出射し、第２ＬＥＤ２２は、例えば、色温度が３０００Ｋ（ケルビン）の電球色の光を出射する。なお、図１等では、第１ＬＥＤ２１および第２ＬＥＤ２２を各々、１個ずつ用いた構成例を示してあるが、第１ＬＥＤ２１として複数のＬＥＤを直列あるいは並列に接続し、第２ＬＥＤ２２として複数のＬＥＤを直列あるいは並列に接続して発光部２を構成してもよい。
【００１４】
本形態において、駆動回路９は、可変抵抗器からなる調色指令入力部１１で入力された調色指令Ｓaに基づいて第１ＬＥＤ２１が点灯および消灯を行うデューティ比を規定する調色用第１ＰＷＭ信号ＳPWM1（図２（ｂ）参照）を生成する調色用ＰＷＭ信号生成部３と、調色用第１ＰＷＭ信号に基づいて第１ＬＥＤ２１への駆動電流を給断する調色用第１スイッチング部４とを有している。また、駆動回路９は、調色用第１ＰＷＭ信号を反転させて第１ＬＥＤ２１と逆相で第２ＬＥＤ２２に点灯および消灯を行わせる調色用第２ＰＷＭ信号ＳPWM2（図２（ｂ）参照）を生成する反転回路５と、調色用第２ＷＭ信号に基づいて第２ＬＥＤ２２への駆動電流を給断する調色用第２スイッチング部６とを有している。
【００１５】
調色指令Ｓaは、発光部２から出射される光の色を調整するための指令であり、調色用第１ＰＷＭ信号ＳPWM1、および調色用第２ＰＷＭ信号ＳPWM2は各々、第１ＬＥＤ２１および第２ＬＥＤ２２に供給される駆動電流の比を規定する信号である。その際、調色用第１ＰＷＭ信号ＳPWM1と、調色用第２ＰＷＭ信号ＳPWM2とは相補的な関係にあるため、第１ＬＥＤ２１に供給される駆動電流と第２ＬＥＤ２２に供給される駆動電流との和は一定である。このため、調色用第１スイッチング部４はＰＷＭ機能付きの定電流回路として構成され、調色用第２スイッチング部６はＰＷＭ機能付きの定電流回路として構成されている。
【００１６】
また、駆動回路９は、可変抵抗器からなる調光指令入力部１２で入力された調光指令Ｓbに基づいて第１ＬＥＤ２１および第２ＬＥＤ２２に供給される電流値を規定する調光用ＰＷＭ信号ＳPWM0（図２（ａ）参照）を生成する調光用ＰＷＭ信号生成部７と、調光用ＰＷＭ信号ＳPWM0に基づいて第１ＬＥＤ２１および第２ＬＥＤ２２への駆動電流を給断する調光用スイッチング部８とを有している。調光用スイッチング部８は、第１ＬＥＤ２１への駆動電流の給断を行う第１スイッチ８１と、第２ＬＥＤ２２への駆動電流の給断を行う第２スイッチ８２と、調光用ＰＷＭ信号ＳPWM0に基づいて第１スイッチ８１および第２ＬＥＤ２２に同一のタイミングで開閉を行わせるスイッチ駆動回路８３とを備えている。
【００１７】
調光指令Ｓbは、発光部２から出射される光の量を調整するための指令であり、調光用ＰＷＭ信号ＳPWM0は、第１ＬＥＤ２１および第２ＬＥＤ２２の双方において、点灯期間と消灯期間との比を規定する信号である。
【００１８】
ここで、調光用ＰＷＭ信号ＳPWM0、調色用第１ＰＷＭ信号ＳPWM1、および調色用第２ＰＷＭ信号ＳPWM2はいずれも、人間の目がちらつきとして認識できない周波数以上（例えば、２００Ｈｚ以上）のパルス信号である。例えば、本形態において、調光用ＰＷＭ信号ＳPWM0は、例えば、２００Ｈｚ〜１ｋＨｚ周期の信号であり、調色用第１ＰＷＭ信号ＳPWM1および調色用第２ＰＷＭ信号ＳPWM2は、例えば、１ｋＨｚ周期の信号である。
【００１９】
本形態において、電源部１０は、第１ＬＥＤ２１および第２ＬＥＤ２２のアノードに調光用スイッチング部８を介して電気的に接続している。また、調色用ＰＷＭ信号生成部３は、調色用第１スイッチング部４を介して第１ＬＥＤ２１のカソードに電気的に接続し、反転回路５は、調色用第２スイッチング部６を介して第２ＬＥＤ２２のカソードに電気的に接続している。
【００２０】
（調光動作および調色動作）
図１および図２において、調光用ＰＷＭ信号ＳPWM0がＬレベルにあるとき、第１スイッチ８１および第２スイッチ８２がＯＦＦとなり、調光用ＰＷＭ信号ＳPWM0がＨレベルにあるとき、第１スイッチ８１および第２スイッチ８２がＯＮとなる。また、調色用第１ＰＷＭ信号ＳPWM1がＬレベルにあるとき、調色用第１スイッチング部４はＯＦＦとなり、調色用第１ＰＷＭ信号ＳPWM1がＨレベルにあるとき、調色用第１スイッチング部４はＯＮとなる。調色用第２ＰＷＭ信号ＳPWM2がＬレベルにあるとき、調色用第２スイッチング部６はＯＦＦとなり、調色用第２ＰＷＭ信号ＳPWM2がＨレベルにあるとき、調色用第２スイッチング部６はＯＮとなる。
【００２１】
従って、調光用ＰＷＭ信号ＳPWM0がＨレベルにある期間において調色用第１ＰＷＭ信号ＳPWM1がＨレベルにあるとき、第１ＬＥＤ２１に給電されて点灯（ＯＮ）状態となり、その他の期間、第１ＬＥＤ２１への給電が休止されて消灯（ＯＦＦ）となる。また、調光用ＰＷＭ信号ＳPWM0がＨレベルにある期間において調色用第２ＰＷＭ信号ＳPWM2がＨレベルにあるとき、第２ＬＥＤ２２に給電されて点灯（ＯＮ）状態となり、その他の期間、第２ＬＥＤ２２への給電が休止されて消灯（ＯＦＦ）となる。
【００２２】
それ故、図２（ａ−１）に示すように、調光用ＰＷＭ信号ＳPWM0のデューティ比が小であれば、第１ＬＥＤ２１および第２ＬＥＤ２２の点灯期間が短くなるので、発光部２から出射される光の量が少なくなる。これに対して、図２（ａ−２）に示すように、調光用ＰＷＭ信号ＳPWM0のデューティ比が大であれば、第１ＬＥＤ２１および第２ＬＥＤ２２の点灯期間が長くなるので、発光部２から出射される光の量が増大する。
【００２３】
また、図２（ｂ−１）に示すように、調色用第１ＰＷＭ信号ＳPWM1のデューティ比が小であれば、第１ＬＥＤ２１の点灯期間が短くなる一方、その分、調色用第２ＰＷＭ信号ＳPWM2のデューティ比が大となるので、第２ＬＥＤ２２の点灯期間が長くなる。従って、発光部２から出射される光は、第２ＬＥＤ２２から出射された電球色の光がメインとなる。これに対して、図２（ｂ−２）に示すように、調色用第１ＰＷＭ信号ＳPWM1のデューティ比が大であれば、第１ＬＥＤ２１の点灯期間が長くなる一方、その分、調色用第２ＰＷＭ信号ＳPWM2のデューティ比が小となるので、第２ＬＥＤ２２の点灯期間が短くなる。従って、発光部２から出射される光は、第１ＬＥＤ２１から出射された昼白色の光がメインとなる。かかる調色の際、調光用ＰＷＭ信号ＳPWM0のデューティ比は一定であるので、発光部２から出射される光の量自体には大きな変化はない。
【００２４】
（駆動回路９の具体的構成例）
図３は、本発明を適用したＬＥＤ光源装置１の駆動回路９の具体的構成例を示す説明図である。
【００２５】
図３に示すように、本形態のＬＥＤ光源装置１の駆動回路９において、調色用ＰＷＭ信号生成部３はＰＷＭ制御用ＩＣからなり、かかるＰＷＭ制御用ＩＣは、ルネサスエレクトロニクス株式会社製のμＰＣ４９４等を用いることができる。かかるＰＷＭ制御用ＩＣには、ＰＷＭ周波数設定用のキャパシタＣ６、抵抗Ｒ８、可変抵抗器ＶＲ４が接続されている。また、可変抵抗器ＶＲ２からなる調色指令入力部１１が接続されている。なお、調色指令入力部１１と調色用ＰＷＭ信号生成部３（ＰＷＭ制御用ＩＣ）との間にはキャパシタＣ７が接続されている。
【００２６】
かかる調色用ＰＷＭ信号生成部３（ＰＷＭ制御用ＩＣ）から出力された信号は、反転バッファ３１によって反転されて調色用第１ＰＷＭ信号ＳPWM1が生成される。また、調色用第１ＰＷＭ信号ＳPWM1は、反転バッファからなる反転回路５によって反転されて調色用第２ＰＷＭ信号ＳPWM2となる。
【００２７】
調色用第１ＰＷＭ信号ＳPWM1は、調色用第１スイッチング部４としてのＰＷＭ機能付きの定電流駆動用ＩＣに入力され、調色用第２ＰＷＭ信号ＳPWM2は、調色用第２スイッチング部６としてのＰＷＭ機能付きの定電流駆動用ＩＣに入力される。かかるＰＷＭ機能付きの定電流駆動用ＩＣとしては、新日本無線株式会社製のＮＪＷ４６１５等を用いることができ、調色用第１スイッチング部４および調色用第２スイッチング部６としてのＰＷＭ機能付きの定電流駆動用ＩＣは各々、第１ＬＥＤ２１および第２ＬＥＤ２２のカソードに電気的に接続されている。なお、調色用第１スイッチング部４および調色用第２スイッチング部６として用いたＰＷＭ機能付きの定電流駆動用ＩＣは、電源用ＩＣ９１で生成された５Ｖの直流電圧がキャパシタＣ８からなるフィルタを介して供給されている。また、調色用第１スイッチング部４および調色用第２スイッチング部６として用いたＰＷＭ機能付きの定電流駆動用ＩＣには定電流設定用抵抗Ｒ１、Ｒ２が接続されている。
【００２８】
調光用ＰＷＭ信号生成部７は、調色用ＰＷＭ信号生成部３と同様、ＰＷＭ制御用ＩＣからなり、かかるＰＷＭ制御用ＩＣは、ルネサスエレクトロニクス株式会社製のμＰＣ４９４等を用いることができる。かかるＰＷＭ制御用ＩＣには、ＰＷＭ周波数設定用キャパシタＣ３、抵抗Ｒ５、可変抵抗器ＶＲ３が接続されている。また、可変抵抗器ＶＲ１からなる調光指令入力部１２が接続されている。なお、調光指令入力部１２と調光用ＰＷＭ信号生成部４（ＰＷＭ制御用ＩＣ）との間にはキャパシタＣ４が接続されている。
【００２９】
かかる調光用ＰＷＭ信号生成部７（ＰＷＭ制御用ＩＣ）から出力された信号は、非反転バッファ７１、７２を経由して調光用ＰＷＭ信号ＳPWM0として調光用スイッチング部８に入力されている。ここで、調光用スイッチング部８は、トランジスタＴＲ１からなる第１スイッチ８１と、トランジスタＴＲ２からなる第２スイッチ８２と、調光用ＰＷＭ信号ＳPWM0が入力されるスイッチ駆動回路８３とを備えている。本形態において、スイッチ駆動回路８３は、トランジスタＴＲ１（第１スイッチ８１）のベースに接続されたトランジスタ回路と、トランジスタＴＲ２（第２スイッチ８２）のベースに接続されたトランジスタ回路とからなる。トランジスタＴＲ１（第１スイッチ８１）のベースに接続されたトランジスタ回路は、トランジスタＴＲ１のベースとＴＲ３のコレクタとの間に直列に接続された抵抗Ｒ３とトランジスタＴＲ３とを備えており、トランジスタＴＲ３のベースに調光用ＰＷＭ信号ＳPWM0が入力抵抗８３１を介して印加されている。また、トランジスタＴＲ２（第２スイッチ８２）のベースに接続されたトランジスタ回路は、トランジスタＴＲ２のベースとＴＲ４のコレクタとの間に直列に接続された抵抗Ｒ４とトランジスタＴＲ４とを備えており、トランジスタＴＲ４のベースに調光用ＰＷＭ信号ＳPWM0が入力抵抗８３２を介して印加されている。
【００３０】
本形態において、電源部１０で生成された２４Ｖの直流電圧は、調色用ＰＷＭ信号生成部３（ＰＷＭ制御用ＩＣ）や調光用ＰＷＭ信号生成部７（ＰＷＭ制御用ＩＣ）に供給されているとともに、調光用スイッチング部８を介して第１ＬＥＤ２１および第２ＬＥＤ２２のアノードに供給されている。
【００３１】
従って、調光用ＰＷＭ信号ＳPWM0の制御の下、調光用スイッチング部８の第１スイッチ８１および第２スイッチ８２がＯＮ−ＯＦＦすれば、第１ＬＥＤ２１および第２ＬＥＤ２２への給電がＰＷＭ制御されるので、発光部２から出射される光の量が調節される。その際、第１ＬＥＤ２１および第２ＬＥＤ２２に供給される電流の比率は、調色用第１ＰＷＭ信号ＳPWM1および調色用第２ＰＷＭ信号ＳPWM2による調色用第１スイッチング部４および調色用第２スイッチング部６でのＯＮ−ＯＦＦ動作によってもＰＷＭ制御される。それ故、発光部２から出射される光の色が調節される。
【００３２】
（本形態の主な効果）
以上説明したように、本形態では、ＬＥＤ光源装置１を照明装置等として用いた際の状況によって照明光の色を切り換えたいときには、調色指令入力部１１が操作される。その結果、調色指令Ｓａが発せられると、調色用ＰＷＭ信号生成部３は、第１ＬＥＤ２１が点灯および消灯を行うデューティ比を規定する調色用第１ＰＷＭ信号ＳPWM1を生成し、反転回路５は、調色用第１ＰＷＭ信号ＳPWM1を反転させて第１ＬＥＤ２１と逆相で第２ＬＥＤ２２に点灯および消灯を行わせる調色用第２ＰＷＭ信号ＳPWM2を生成する。このため、調色用第１スイッチング部４が調色用第１ＰＷＭ信号ＳPWM1に基づいて第１ＬＥＤ２１への駆動電流を給断し、調色用第２スイッチング部６が調色用第２ＰＷＭ信号ＳPWM2に基づいて第２ＬＥＤ２２への駆動電流を給断するので、第１ＬＥＤ２１に供給される駆動電流と第２ＬＥＤ２２に供給される駆動電流との比によって、発光部２から出射される光の色が規定される。ここで、調色用第２ＰＷＭ信号ＳPWM2の生成は、反転回路５での調色用第１ＰＷＭ信号ＳPWM1の反転により行われる。従って、簡素な回路構成で２種類のＬＥＤ（第１ＬＥＤ２１および第２ＬＥＤ２２）のデューティ比を制御して発光部２から出射される光の調色を行うことができる。すなわち、本形態では、２種類のＬＥＤ（第１ＬＥＤ２１および第２ＬＥＤ２２）を一組として制御するので、第１ＬＥＤ２１を制御するための調色用第１ＰＷＭ信号ＳPWM1を反転させて得た調色用第２ＰＷＭ信号ＳPWM2によって第２ＬＥＤ２２を制御することができ、回路構成を簡素化することができる。
【００３３】
また、本形態では、駆動回路９は、発光部２から出射される光の量を指定する調光指令Ｓｂに基づいて第１ＬＥＤ２１および第２ＬＥＤ２２に供給される電流値を規定する調光用ＰＷＭ信号ＳPWM0を生成する調光用ＰＷＭ信号生成部７と、調光用ＰＷＭ信号ＳPWM0に基づいて第１ＬＥＤ２１および第２ＬＥＤ２２への駆動電流を給断する調光用スイッチング部８とを有している。従って、照明光の光量を切り換えたいとして調光指令入力部１２が操作されると、第１ＬＥＤ２１および第２ＬＥＤ２２に供給される電流値が切り換えられる。従って、発光部２から出射される光の量を制御することができる。
【００３４】
（他の実施の形態）
上記実施の形態では、調色用ＰＷＭ信号生成部３および調光用ＰＷＭ信号生成部７として、ＰＷＭ制御用ＩＣを用いたが、調色用ＰＷＭ信号生成部３および調光用ＰＷＭ信号生成部７をマイクロコンピューターによって構成してもよい。
【符号の説明】
【００３５】
１  ＬＥＤ光源装置
２  発光部
３  調色用ＰＷＭ信号生成部
４  調色用第１スイッチング部
５  反転回路
６  調色用第２スイッチング部
７  調光用ＰＷＭ信号生成部
８  調光用スイッチング部
９  駆動回路
１０  電源部
１１  調色指令入力部
１２  調光指令入力部
２１  第１ＬＥＤ
２２  第２ＬＥＤ
８１  第１スイッチ
８２  第２スイッチ
８３  スイッチ駆動回路
Ｓａ  調色指令
Ｓｂ  調光指令
ＳPWM1  調色用第１ＰＷＭ信号
ＳPWM2  調色用第２ＰＷＭ信号
ＳPWM0  調光用ＰＷＭ信号
【図１】
2014078405.tif 000003
【図２】
2014078405.tif 000004
【図３】
2014078405.tif 000005